(57)【要約】      （修正有）【課題】蓄熱部を含む車室内空調部と、シート空調部とを有する車両用空調装置に関し、蓄熱部に蓄熱された冷熱を利用した冷房の効率を向上可能な車両用空調装置を提供する。【解決手段】車両用空調装置１は、車室内空調ユニット１０と、シート空調ユニット４０と、空調制御装置とを有している。車室内空調ユニット１０における冷凍サイクルは、蓄冷材を収容した蓄冷材容器を有する蒸発器を含んでいる。シート空調ユニット４０は、下側送風機４４等の作動によって、シート５に配置された下側通気口４２等から車室Ｃ内の空気を吸い込む。蓄冷冷房運転時において、室内送風機１７からの送風空気は、蓄冷材に蓄熱された冷熱により冷却されて車室Ｃ内に送風され、シート５に配置された下側通気口４２、上側通気口４６から吸い込まれる。この時の室内送風機１７の送風量は、通常冷房運転時の送風量よりも小さく調整される。【選択図】図４
2018131094.tif 000002
【特許請求の範囲】
【請求項１】
車両の車室（Ｃ）前方側に配置され、前記車室内に向かって送風する送風機（１７）と、前記送風機によって送風された送風空気を冷却する冷却部（２０）と、前記冷却部によって生じる冷熱を蓄熱する蓄熱部（２１ｅ）とを備える車室内空調部（１０）と、
前記車室内に配置されたシート（５）に形成された通気口（４２、４６）と、前記通気口を介して、前記車室内の空気を吸い込むシート送風機（４４、４８）とを備えるシート空調部（４０）と、
前記車室内空調部と前記シート空調部の作動を制御する制御部（５０）と、を有し、
前記制御部は、前記蓄熱部に蓄熱された冷熱によって前記送風空気を冷却すると共に、前記シート空調部を作動させる場合には、前記車室内空調部の空調性能を下げるように調整する車両用空調装置。
【請求項２】
前記冷却部は、冷媒を圧縮して吐出する圧縮機（２２）と、前記圧縮機から吐出された前記冷媒を凝縮して放熱させる凝縮器（２３）と、前記凝縮器で放熱した冷媒を減圧させる減圧部（２５）と、前記減圧部にて減圧された前記冷媒と前記送風空気とを熱交換させて前記冷媒を蒸発させる蒸発器（２１）と、を含む冷凍サイクルによって構成され、
前記蓄熱部は、前記蒸発器における前記冷媒と熱交換可能に配置されている請求項１に記載の車両用空調装置。
【請求項３】
前記圧縮機は、前記車両の動力源であるエンジン（Ｅ）の作動によって駆動される請求項２に記載の車両用空調装置。
【請求項４】
前記通気口は、前記シートに着座する乗員の体幹部分が接触可能な表面に配置されている請求項１ないし３の何れか１つに記載の車両用空調装置。
【請求項５】
前記制御部は、前記シート空調部を作動させる場合には、前記車室内空調部における前記送風機の送風量を、前記車室内空調部のみを作動させる場合よりも下げる請求項１ないし４の何れか１つに記載の車両用空調装置。
【請求項６】
前記制御部は、前記送風機の送風量の低減に伴う前記車室内空調部の電力低減量以下になるように、前記シート空調部の消費電力量を制御する請求項５に記載の車両用空調装置。
【発明の詳細な説明】
【技術分野】
【０００１】
本発明は、車室内の乗員の快適性を高める車両用空調装置に関する。
【背景技術】
【０００２】
従来、車両の車室内における乗員の快適性を高める為に、様々な車室内空調に関する技術が開発されている。このような技術に関する発明として、例えば、特許文献１、２に記載された発明が知られている。
【０００３】
特許文献１には、車両用空調装置に関する発明が記載されている。特許文献１に記載された車両用空調装置は、車室内空調を行う車室内空調装置と、シート空調を行うシート空調装置と、空調制御装置とを有して構成されている。当該車両用空調装置においては、車室内温度や日射量により車室内環境等の良否が判定され、その判定結果に応じて車室内空調装置、シート空調装置の作動が制御されている。
【０００４】
そして、特許文献２には、冷凍サイクル装置に用いられる蓄冷熱交換器に関する発明が記載されている。特許文献２に記載された蓄冷熱交換器は、複数の冷媒配管の間に蓄冷材容器をそれぞれ配置して構成されており、蓄冷材容器内の蓄冷材に対する蓄冷及び放冷を可能としている。この蓄冷熱交換器を用いることで、特許文献２では、蓄冷材に蓄熱された冷熱を利用した冷房を実現している。
【先行技術文献】
【特許文献】
【０００５】
【特許文献１】特開２０１２−１５８２２６号公報
【特許文献２】特開２０１０−９１２５０号公報
【発明の概要】
【発明が解決しようとする課題】
【０００６】
特許文献１のような車両用空調装置において、特許文献２のような蓄冷熱交換器を車室内空調部に利用することが考えられる。この構成によれば、車室内空調部における冷房の一つの態様として、蓄冷熱交換器における蓄冷材に蓄熱された冷熱を用いた冷房を行うことができる。
【０００７】
ここで、蓄熱部としての蓄冷材の能力は、蓄冷材の構成材料等によって定まる為、蓄冷熱交換器で蓄熱可能な冷熱も有限である。従って、上述したような構成において、蓄熱部に蓄熱された冷熱を用いた冷房を行う上では、蓄熱部に蓄熱されている冷熱を効率よく利用することが求められる。又、蓄熱部に蓄熱された冷熱を用いた冷房に際しては、限りある冷熱を用いて、乗員の快適性を如何に効率よく向上させるかが問題となる。
【０００８】
本発明は、これらの点に鑑みてなされており、蓄熱部を含む車室内空調部と、シート空調部とを有する車両用空調装置に関し、蓄熱部に蓄熱された冷熱を利用した冷房の効率を向上可能な車両用空調装置を提供することを目的とする。
【課題を解決するための手段】
【０００９】
前記目的を達成するため、請求項１に記載の車両用空調装置は、
車両の車室（Ｃ）前方側に配置され、車室内に向かって送風する送風機（１７）と、送風機によって送風された送風空気を冷却する冷却部（２０）と、冷却部によって生じる冷熱を蓄熱する蓄熱部（２１ｅ）とを備える車室内空調部（１０）と、
車室内に配置されたシート（５）に形成された通気口（４２、４６）と、通気口を介して、車室内の空気を吸い込むシート送風機（４４、４８）とを備えるシート空調部（４０）と、
車室内空調部とシート空調部の作動を制御する制御部（５０）と、を有し、
制御部は、蓄熱部に蓄熱された冷熱によって送風空気を冷却すると共に、シート空調部を作動させる場合には、車室内空調部の空調性能を下げるように調整する。
【００１０】
当該車両用空調装置によれば、車室内空調部は、送風機による送風空気を冷却部によって冷却して車室内に送風する態様と、送風機による送風空気を蓄熱部に蓄熱された冷熱によって冷却して車室内に送風する態様とを実行することができ、車室内の快適性を向上させることができる。
【００１１】
又、シート空調部は、シート送風機の作動によりシートの通気口から、車室内の空気を吸い込むことができるので、車室内にシートに向かって流れる空気の流れを形成し、車室内の快適性を向上させることができる。
【００１２】
そして、当該車両用空調装置によれば、蓄熱部に蓄熱された冷熱によって送風空気を冷却すると同時に、シート空調部を作動させることで、蓄熱部の冷熱で冷却された送風空気の流れをシートの通気口に向かうようにすることができ、車室内における乗員の快適性を効率よく高めることができる。
【００１３】
この時、当該車両用空調装置は、車室内空調部の空調性能を下げるように調整する為、車室内空調部とシート空調部を単純に同時運転する場合に比べて、車室内における乗員の快適性と車両用空調装置としてのエネルギー消費量との効率を高めることができる。又、当該車両用空調装置によれば、蓄熱部に蓄熱された冷熱を、より長期間にわたって利用することができ、車両用空調装置としての省エネルギーに貢献することができる。
【００１４】
なお、この欄および特許請求の範囲で記載した各手段の括弧内の符号は、後述する実施態に記載の具体的手段との対応関係を示すものである。
【図面の簡単な説明】
【００１５】
【図１】本実施形態に係る車両用空調装置の概略構成を示す側面図である。
【図２】本実施形態に係る車両用空調装置の全体構成図である。
【図３】車室内空調部における蒸発器の概略構成を示す正面図である。
【図４】本実施形態に係る蓄冷冷房運転時の冷気の流れを示す側面図である。
【図５】本実施形態に係る蓄冷冷房運転時の制御処理に関するフローチャートである。
【図６】本実施形態に係る車両用空調装置における蓄冷冷房運転の冷房効率に関するグラフである。
【発明を実施するための形態】
【００１６】
以下、実施形態について図に基づいて説明する。以下の各実施形態相互において、互いに同一もしくは均等である部分には、図中、同一符号を付してある。
【００１７】
本実施形態に係る車両用空調装置１は、車両エンジンＥで駆動する車両に搭載されており、当該車両の車室Ｃ内を適切な温度に調整する為に用いられる。
【００１８】
図１、図２に示すように、車両用空調装置１は、車室Ｃの前方側に配置された車室内空調ユニット１０と、車室Ｃ内で乗員が着座するシート５に配置されたシート空調ユニット４０と、車室内空調ユニット１０及びシート空調ユニット４０の作動を制御する空調制御装置５０とを有して構成されている。
【００１９】
先ず、車両用空調装置１における車室内空調ユニット１０の構成について、図面を参照しつつ詳細に説明する。図１、図２に示すように、車室内空調ユニット１０は、車室Ｃにおける最前部の計器盤（例えば、インストルメントパネル）内側に配置されており、冷凍サイクル２０によって調整された空調風を車室Ｃ内に供給可能に構成されている。当該車室内空調ユニット１０は、本発明における車室内空調部の一例である。
【００２０】
車室内空調ユニット１０は、その外殻を形成するケーシング１１内に、内外気切替箱１４、室内送風機１７、ヒータコア２６、バイパス通路２７及びエアミックスドア２８等を収容しており、本発明の冷却部として機能する冷凍サイクル２０を有している。
【００２１】
当該ケーシング１１は、車室Ｃ内に送風される送風空気の空気通路を形成している。このケーシング１１は、一定の弾性を有し、強度的にも優れた樹脂（例えば、ポリプロピレン）にて成形されている。
【００２２】
図２に示すように、ケーシング１１の空気通路の最上流部には、内外気切替箱１４が配置されている。当該内外気切替箱１４は、車室Ｃ内と連通する内気導入口１２と、車室Ｃの外部と連通する外気導入口１３と、内外気切替ドア１５及びサーボモータ１６を有している。
【００２３】
内外気切替ドア１５は、内外気切替箱１４の内部において回転自在に配置されており、サーボモータ１６によって駆動される。内外気切替箱１４は、内外気切替ドア１５の駆動制御を行うことで、内気導入口１２より内気（車室内空気）を導入する内気モードと、外気導入口１３より外気（車室外空気）を導入する外気モードと、内気と外気を同時に導入する半内気モードとを切り替えることができる。
【００２４】
そして、内外気切替箱１４の下流側には、電動式の室内送風機１７が配置されている。室内送風機１７は、遠心多翼ファン１７ａをモータ１７ｂにより駆動し、車室Ｃ内に向かって空気を送風するように構成されている。当該室内送風機１７は、空調制御装置５０によるモータ１７ｂの駆動制御を行うことで、室内送風機１７による車室Ｃ内への送風量を調整することができる。従って、室内送風機１７は、本発明における送風機として機能する。
【００２５】
図１、図２に示すように、室内送風機１７の下流側には、冷凍サイクル２０を構成する蒸発器２１が配置されている。ここで、車室内空調ユニット１０における冷凍サイクル２０は、蒸気圧縮式冷凍サイクルとして構成されており、蒸発器２１に加え、圧縮機２２、凝縮器２３、気液分離器２４、膨張弁２５を有している。当該冷凍サイクル２０は、本発明における冷却部の一例である。
【００２６】
そして、当該冷凍サイクル２０では、冷媒としてＨＦＣ系冷媒（具体的には、Ｒ１３４ａ）が採用されており、高圧側冷媒圧力が冷媒の臨界圧力を超えない蒸気圧縮式の亜臨界冷凍サイクルが構成されている。もちろん、冷媒としてＨＦＯ系冷媒（例えば、Ｒ１２３４ｙｆ）や自然冷媒（例えば、Ｒ７４４）等を採用してもよい。更に、冷媒には圧縮機２２を潤滑するための冷凍機油が混入されており、冷凍機油の一部は冷媒とともにサイクルを循環している。
【００２７】
当該冷凍サイクル２０において、蒸発器２１に流入した低圧の冷媒は、室内送風機１７によって送風された送風空気から吸熱して蒸発する。従って、蒸発器２１は、室内送風機１７から送風された送風空気を冷却することができる。そして、当該蒸発器２１は、冷媒の蒸発により生じる冷熱を蓄える蓄冷機能を備えている。この蒸発器２１の具体的構成については、後に図面を参照しつつ説明する。
【００２８】
冷凍サイクル２０における圧縮機２２は、冷凍サイクル２０の冷媒を吸入して圧縮して吐出する。そして、圧縮機２２は、電磁クラッチ２２ａ、プーリ及びベルトＶを介して伝達される車両エンジンＥの回転動力により駆動される。従って、本実施形態に係る圧縮機２２は、車両エンジンＥの停止に伴って、その作動を停止するように構成されている。車両エンジンＥは、本発明におけるエンジンの一例である。
【００２９】
そして、圧縮機２２は、外部からの制御信号により吐出容量を連続的に可変制御できる可変容量型圧縮機である。具体的には、圧縮機２２は、空調制御装置５０から出力される制御電流によって開度が変位する電磁式容量制御弁２２ｂを有して構成されている。
【００３０】
この圧縮機２２は、電磁式容量制御弁２２ｂの開度を調整して、圧縮機２２における制御圧を制御することで、ピストンのストロークを変化させる。これにより、当該圧縮機２２は、吐出容量を略０％〜１００％の範囲で連続的に変化させることができる。
【００３１】
凝縮器２３は、圧縮機２２から吐出された冷媒と室外送風機である冷却ファン２３ａから送風された車室外空気（即ち、外気）とを熱交換させて冷媒を凝縮させる。凝縮器２３は、いわゆる放熱器として機能する。
【００３２】
そして、冷却ファン２３ａは、電動式送風機であり、空調制御装置５０からモータ２３ｂに入力される制御電圧によって稼働率（即ち、回転数）が制御される。即ち、冷却ファン２３ａによる送風空気量は、空調制御装置５０によって適宜制御することができる。
【００３３】
気液分離器２４は、凝縮器２３にて凝縮された冷媒を気液分離して余剰冷媒を蓄えると共に、液相冷媒のみを下流側に流すレシーバである。
【００３４】
膨張弁２５は、気液分離器２４で分離された液相冷媒を減圧膨張させる減圧部であり、弁体と電動アクチュエータとを備え、電気式の可変絞り機構を有して構成されている。弁体は、冷媒通路の通路開度（換言すれば絞り開度）を変更可能に構成されている。電動アクチュエータは、弁体の絞り開度を変化させるステッピングモータを有している。
【００３５】
当該膨張弁２５は、空調制御装置５０から出力される制御信号によって、その作動が制御される。つまり、膨張弁２５によれば、空調制御装置５０からの制御信号に基づいて、冷媒を等エンタルピ的に減圧すると共に、圧縮機２２に吸入される冷媒の過熱度が所定値となるように絞り開度を制御することが可能となる。
【００３６】
冷凍サイクル２０においては、膨張弁２５にて減圧膨張された冷媒は、蒸発器２１に流入して蒸発し、その後、再び圧縮機２２に流入する。このように、圧縮機２２→凝縮器２３→気液分離器２４→膨張弁２５→蒸発器２１→圧縮機２２の順で冷媒が循環する冷凍サイクルが構成される。尚、上述した冷凍サイクルの構成装置（蒸発器２１、圧縮機２２〜膨張弁２５）の間は、それぞれ冷媒配管によって接続されている。
【００３７】
図２に示すように、当該車室内空調ユニット１０における蒸発器２１の空気流れ下流側には、ヒータコア２６が配置されている。ヒータコア２６は、図示しないエンジン冷却水回路を循環する車両エンジンＥの冷却水を熱源として用い、蒸発器２１通過後の空気（冷風）を加熱する。
【００３８】
そして、ヒータコア２６の側方には、バイパス通路２７が形成されている。バイパス通路２７は、蒸発器２１を通過した空気を、ヒータコア２６を迂回させてヒータコア２６の空気流れ下流側へ導く。
【００３９】
蒸発器２１に対する空気流れ下流側であって、ヒータコア２６及びバイパス通路２７に対する空気流れ上流側には、エアミックスドア２８が回転自在に配置されている。エアミックスドア２８は、サーボモータ２９により駆動される。この車室内空調ユニット１０では、空調制御装置５０によりサーボモータ２９の作動制御を行うことで、エアミックスドア２８の回転位置（開度）を連続的に調整可能になっている。
【００４０】
そして、車室内空調ユニット１０では、エアミックスドア２８の開度により、ヒータコア２６を通る空気量（温風量）と、バイパス通路２７を通過してヒータコア２６をバイパスする空気量（冷風量）との割合を調節することができる。即ち、車室内空調ユニット１０は、車室Ｃ内に吹き出す空気の温度を調整することができる。
【００４１】
更に、ケーシング１１の送風空気流れ最下流部には、デフロスタ吹出口３０と、フェイス吹出口３１と、フット吹出口３２が配置されている。これらの吹出口は、エアミックスドア２８により温度調整された空調風を、空調対象空間である車室Ｃ内へ吹き出すように形成されている。
【００４２】
具体的には、デフロスタ吹出口３０は、車両の前面に配置されたフロントガラスＷｆに向けて空調風を吹き出す為の吹出口である。フェイス吹出口３１は、図１に示すように、車室Ｃ前部の計器盤（例えば、インストルメントパネル）に形成されており、シート５に着座した乗員の上半身へ空調風を吹き出す為の吹出口である。又、フット吹出口３２は、シート５に着座した乗員の足元へ空調風を吹き出す為の吹出口である。
【００４３】
そして、デフロスタ吹出口３０、フェイス吹出口３１及びフット吹出口３２の上流部には、デフロスタドア３３、フェイスドア３４及びフットドア３５が、それぞれ回転自在に配置されている。即ち、デフロスタドア３３は、デフロスタ吹出口３０の開口面積を調整可能に配置されており、フェイスドア３４は、フェイス吹出口３１の開口面積を調整可能に配置されている。そして、フットドア３５は、フット吹出口３２の開口面積を調整可能に配置されている。
【００４４】
そして、デフロスタドア３３、フェイスドア３４及びフットドア３５は、リンク機構等を介して、共通のサーボモータ３６に接続されている。このサーボモータ３６は、空調制御装置５０から出力される制御信号によってその作動が制御される。従って、車室内空調ユニット１０によれば、空調制御装置５０によって、サーボモータ３６の駆動を制御することで、吹出口モードを切り替えることができる。
【００４５】
このように構成された車室内空調ユニット１０は、空調制御装置５０による制御に従って作動することで、適切な温度に調整された空調風を車室Ｃ内に供給することができる。これにより、当該車室内空調ユニット１０は、車室Ｃ内における乗員の快適性を向上させることができる。
【００４６】
ここで、冷凍サイクル２０における蒸発器２１の具体的構成について、図３を参照しつつ詳細に説明する。上述したように、蒸発器２１は、車室内空調ユニット１０のケーシング１１内部の空気通路において、室内送風機１７の下流側に配置されており、当該空気通路全体を横断している。従って、当該蒸発器２１は、室内送風機１７から吹き出された送風空気の全部が通過するように配置されている。
【００４７】
冷凍サイクル２０における蒸発器２１は、その内部を流れる冷媒とケーシング１１内の空気通路を流れる送風空気との間で熱交換が行われて当該空気を冷却する空気冷却作用及び自身を通過する空気を除湿する空気除湿作用を行う室内熱交換器である。そして、当該蒸発器２１は、空気冷却作用による冷熱を蓄える蓄冷機能を備えている。
【００４８】
図３に示すように、蒸発器２１は、上側ヘッダタンク２１ａと、下側ヘッダタンク２１ｂと、複数のチューブ２１ｃを有して構成されている。上側ヘッダタンク２１ａは、蒸発器２１の上部に配置されており、下側ヘッダタンク２１ｂは、蒸発器２１の下部にて、上側ヘッダタンク２１ａに対して所定距離離れて平行に配置されている。
【００４９】
複数のチューブ２１ｃは、上側ヘッダタンク２１ａと下側ヘッダタンク２１ｂの間を連結しており、等間隔に配列されている。各チューブ２１ｃは、その上端部において、上側ヘッダタンク２１ａ内に連通しており、その下端部では、下側ヘッダタンク２１ｂ内に連通している。
【００５０】
当該チューブ２１ｃは、扁平状に形成され、内部に複数の冷媒通路を有する多穴管である。このチューブ２１ｃは、例えば押出製法によって得ることができる。複数の冷媒通路は、チューブ２１ｃの長手方向に沿って延びており、チューブ２１ｃの両端に開口している。
【００５１】
そして、複数のチューブ２１ｃの間には、複数の隙間が形成されている。これら複数の隙間には、複数のフィン２１ｄと、複数の蓄冷材容器２１ｅとが配置されている。当該蒸発器２１において、複数のフィン２１ｄと複数の蓄冷材容器２１ｅは、例えば、所定の規則性をもって配置されている。
【００５２】
各フィン２１ｄは、隣接する２つのチューブ２１ｃの間に区画された空気通路に配置されており、車室Ｃへ供給される送風空気と接触面積を増加させている。そして、各フィン２１ｄは、例えば、薄いアルミニウム等の金属板を波状に曲げることにより形成されており、隣接する２つのチューブ２１ｃにロウ付け接合されている。各フィン２１ｄは、隣接する２つのチューブ２１ｃと熱的に結合しており、チューブ２１ｃ内を流れる冷媒と蒸発器２１を通過する送風空気との熱交換効率を高めている。
【００５３】
蓄冷材容器２１ｅは、隣接する２つのチューブ２１ｃの間に配置されており、その内部に蓄冷材が収容されている。蓄冷材容器２１ｅ内部の蓄冷材としては、例えば、凝固点が１０℃程度のパラフィンが用いられる。
【００５４】
当該蓄冷材容器２１ｅは、アルミニウム等の金属によって構成されており、隣接する２つのチューブ２１ｃに対してロウ付け接合されている。即ち、当該蓄冷材容器２１ｅは、その両側に配置された２つのチューブ２１ｃに熱的に結合している。
【００５５】
これにより、当該蒸発器２１は、各チューブ２１ｃ内の冷媒を蒸発させて吸熱作用を発揮させる際に、蓄冷材容器２１ｅ内の蓄冷材を凝固させて冷熱を蓄えることができ、蓄冷熱交換器として機能する。
【００５６】
このように構成された蒸発器２１は、車室内空調ユニット１０における冷凍サイクル２０の圧縮機２２の作動中（即ち、冷凍サイクル２０による通常冷房運転中）に、各蓄冷材容器２１ｅ内の蓄冷材へ冷熱を蓄える。そして、当該蒸発器２１は、車両エンジンＥが停止して圧縮機２２が作動停止すると、蓄冷材容器２１ｅ内の蓄冷材から放冷する。
【００５７】
この結果、本実施形態に係る車室内空調ユニット１０は、冷凍サイクル２０の作動が一時的に停止しても、蓄冷材に蓄熱されている冷熱を放冷することによって、室内送風機１７からの送風空気を冷却することができる。
【００５８】
尚、本実施形態に係る車両用空調装置１は、当該蒸発器２１の吹出温度が所定の基準吹出温度ＫＴ（例えば、１５℃）を上回ると、車両エンジンＥが再始動して、圧縮機２２が作動開始するように構成されている。従って、蒸発器２１の蓄冷機能によって、圧縮機２２の停止時間を長くすることができ、圧縮機２２の省動力効果を高めることができる。そして、圧縮機２２の停止時間の延長に伴い、車両エンジンＥの停止時間を長くすることができ、車両エンジンＥの省燃費効果を高めることができる。
【００５９】
続いて、車両用空調装置１におけるシート空調ユニット４０の構成について、図面を参照しつつ詳細に説明する。上述したように、シート空調ユニット４０は、車室Ｃ内で乗員が着座するシート５に配置されており、空調制御装置５０の制御に従って作動するように構成されている。
【００６０】
図１に示すように、シート５は、座面部６と、背もたれ部７と、ヘッドレスト部８とを有しており、車室Ｃの床面に対して、車両の前後方向へスライド移動可能に配置されている。座面部６は、乗員が着座する部分であり、その上面に多孔質製のクッション部を有している。
【００６１】
そして、背もたれ部７は、座面部６に座った乗員を背後から支持する部分を構成しており、その前面に多孔質製のクッション部を有している。ヘッドレスト部８は、背もたれ部７の上部に配置されており、シート５に座った乗員の頭部を背後から支持可能に構成されている。
【００６２】
シート空調ユニット４０は、シート５における座面部６及び背もたれ部７の内部に配置されており、下側通風路４１と、下側送風機４４と、上側通風路４５と、上側送風機４８とを有して構成されている。
【００６３】
下側通風路４１は、シート５の座面部６内部において、クッション部よりも下方に配置されており、金属パイプを組み合わせて構成されている。従って、下側通風路４１は、シート５の座面部６における骨材部として機能する。そして、当該下側通風路４１は、シート空調ユニット４０の座面部６側における空気の流路として機能し、複数の下側通気口４２と下側排気口４３とを有している。
【００６４】
複数の下側通気口４２は、座面部６の上面における複数個所に配置されており、中空状の下側通風路４１内部と連通している。従って、当該シート空調ユニット４０は、座面部６のクッション部を介して、座面部６の上方の空気を下側通風路４１の内部へ吸い込むことができる。各下側通気口４２は、本発明における通気口の一例である。
【００６５】
そして、下側排気口４３は、下側通風路４１の端部に形成されており、座面部６の下面から突出するように配置されている。従って、本実施形態においては、座面部６上方の空間は、座面部６のクッション部及び下側通風路４１を介して、座面部６の下方と連通することになる。
【００６６】
下側送風機４４は、シート５の座面部６内部において、下側通風路４１による空気流路上に配置されている。即ち、下側送風機４４は、下側通風路４１における複数の下側通気口４２と、下側排気口４３の間に配置されている。
【００６７】
当該下側送風機４４は、空調制御装置５０からの制御信号によって送風動作を行うように構成されており、図示しないモータ等の作動を制御することで、送風量を調整することができる。従って、下側送風機４４は、送風動作を行うことによって、下側通風路４１における複数の下側通気口４２から車室Ｃ内の空気を吸い込み、下側排気口４３から車室Ｃへ排気することができる。当該下側送風機４４は、本発明におけるシート送風機として機能する。
【００６８】
そして、上側通風路４５は、背もたれ部７のクッション部よりも後方において、背もたれ部７の内部に配置されており、下側通風路４１と同様に、金属パイプを組み合わせて構成されている。従って、上側通風路４５は、シート５の背もたれ部７における骨材部として機能する。当該上側通風路４５は、シート空調ユニット４０の背もたれ部７側における空気の流路として機能し、複数の上側通気口４６と上側排気口４７とを有している。
【００６９】
複数の上側通気口４６は、背もたれ部７の前面における複数個所に配置されており、中空状の上側通風路４５内部と連通している。従って、当該シート空調ユニット４０は、背もたれ部７のクッション部を介して、背もたれ部７の前方の空気を上側通風路４５の内部へ吸い込むことができる。各上側通気口４６は、本発明における通気口の一例である。
【００７０】
そして、上側排気口４７は、上側通風路４５の端部に形成されており、背もたれ部７の背面側に配置されている。従って、本実施形態では、背もたれ部７の前方の空間は、背もたれ部７のクッション部及び上側通風路４５を介して、背もたれ部７の後方と連通することになる。
【００７１】
上側送風機４８は、シート５における背もたれ部７の内部において、上側通風路４５による空気流路上に配置されている。即ち、上側送風機４８は、上側通風路４５における複数の上側通気口４６と、上側排気口４７の間に配置されている。
【００７２】
そして、当該上側送風機４８は、空調制御装置５０からの制御信号によって送風動作を行うように構成されており、図示しないモータ等の作動を制御することで、送風量を調整することができる。当該上側送風機４８は、送風動作を行うことによって、上側通風路４５における複数の上側通気口４６から車室Ｃ内の空気を吸い込み、上側排気口４７から車室Ｃへ排気することができる。当該上側送風機４８は、本発明におけるシート送風機として機能する。
【００７３】
尚、シート空調ユニット４０は、車載バッテリからの電力供給を受けており、車載バッテリからの電力線は、シート５のスライドを許容するように余裕のあるコイル配線で構成されている。
【００７４】
このように構成されたシート空調ユニット４０は、空調制御装置５０による制御に従って作動することで、シート５の座面部６及び背もたれ部７内に、車室Ｃ内の空気を取り込ませることができ、シート５に着座している乗員の快適性を向上させることができる。
【００７５】
続いて、本実施形態に係る車両用空調装置１の制御系の構成について、図２を参照しつつ説明する。空調制御装置５０は、車両用空調装置１を構成する各制御対象機器の作動を制御する制御部であり、本発明における制御部の一例である。当該空調制御装置５０は、ＣＰＵ、ＲＯＭ及びＲＡＭ等を含む周知のマイクロコンピュータとその周辺回路から構成されている。
【００７６】
尚、本実施形態に係る空調制御装置５０は、車室内空調ユニット１０を構成する各制御対象機器と、シート空調ユニット４０を構成する各制御対象機器の何れについても、その作動を制御するように構成しているが、車室内空調ユニット１０に対する制御部と、シート空調ユニット４０に対する制御部とを夫々有するように構成しても良い。
【００７７】
そして、本実施形態に係る空調制御装置５０は、そのＲＯＭ内に、車両用空調装置１による車室内空調動作を行う為の制御プログラムを記憶しており、その制御プログラムに基づいて各種演算、処理を行う。図５に示す蓄冷冷房運転を行う為の制御プログラムも、空調制御装置５０のＲＯＭ内に記憶されている。蓄冷冷房運転及び制御内容については、後に図面を参照しつつ説明する。
【００７８】
空調制御装置５０の入力側には、空調用センサ群が接続されている。従って、空調制御装置５０は、空調用センサ群から出力されたセンサ検出信号に基づいて種々の検出を行うことができる。そして、空調用センサ群は、外気センサ５１、内気センサ５２、日射センサ５３、蒸発器温度センサ５４、水温センサ５５等を含んでいる。
【００７９】
外気センサ５１は、車両外部の外気の温度である外気温Ｔａｍを検出する。内気センサ５２は、車室Ｃ内の気温である内気温Ｔｒを検出する。日射センサ５３は、車室Ｃ内の日射量Ｔｓを検出する。蒸発器温度センサ５４は、当該蒸発器２１を通過する送風空気の温度（即ち、吹出温度）を検出する。蒸発器温度センサ５４は、蒸発器２１を構成するフィン２１ｄに取り付けられている。そして、水温センサ５５は、ヒータコア２６に流入するエンジン冷却水の温度Ｔｗを検出する。
【００８０】
又、空調制御装置５０の入力側には、操作パネル５６が接続されている。操作パネル５６は、車室内前部の計器盤付近に配置されており、車両用空調装置１を構成する車室内空調ユニット１０及びシート空調ユニット４０に関する各種操作スイッチを有して構成されている。従って、空調制御装置５０は、操作パネル５６の各種操作スイッチから出力された操作信号に基づいて、操作パネル５６に対する操作を検出することができる。
【００８１】
操作パネル５６を構成する各種操作スイッチは、吹出モードスイッチ、内外気切替スイッチ、エアコンスイッチ、送風スイッチ、オートスイッチ、温度設定スイッチ、シート空調スイッチを含んでいる。
【００８２】
吹出モードスイッチは、上述した車室内空調ユニット１０の吹出モードドア（即ち、デフロスタドア３３〜フットドア３５）より切り替わる吹出モードをマニュアル設定する際に操作される。内外気切替スイッチは、内外気切替箱１４における内外気吸込モードをマニュアル設定する際に操作される。
【００８３】
エアコンスイッチは、車室内空調ユニット１０による車室Ｃ内の冷暖房又は除湿の作動・停止を切り替える際に操作される。送風スイッチは、室内送風機１７から送風される風量をマニュアル設定する際に操作される。オートスイッチは、車室内空調ユニット１０による空調のオート制御を設定又は解除する際に操作される。
【００８４】
そして、シート空調スイッチは、シート空調ユニット４０によるシート空調運転の作動・停止を切り替える際に操作される。このシート空調スイッチの操作によって、シート空調運転の作動が指示されると、空調制御装置５０は、下側送風機４４、上側送風機４８を作動させる。
【００８５】
そして、空調制御装置５０の出力側には、車両用空調装置１における各種の制御機器が接続されている。車室内空調ユニット１０に関する制御機器には、圧縮機２２の電磁クラッチ２２ａ、電磁式容量制御弁２２ｂ、電気駆動部を構成するサーボモータ１６、サーボモータ２９、サーボモータ３６、室内送風機１７のモータ１７ｂ、及び冷却ファン２３ａのモータ２３ｂが含まれている。そして、シート空調ユニット４０に関する制御機器としては、下側送風機４４及び上側送風機４８が含まれている。これら車両用空調装置１における各種制御機器の作動は、空調制御装置５０の出力信号により制御される。
【００８６】
次に、本実施形態に係る車両用空調装置１で行われる蓄冷冷房運転の概要について、図４等を参照しつつ説明する。本実施形態に係る車両用空調装置１は、車室Ｃ内を冷房する冷房運転として、通常冷房運転と、蓄冷冷房運転とを実行することができる。
【００８７】
本実施形態における通常冷房運転とは、車両用空調装置１の車室内空調ユニット１０において、圧縮機２２の作動によって冷凍サイクル２０内の冷媒を循環させ、室内送風機１７からの送風空気を、蒸発器２１における冷媒の蒸発によって冷却して車室Ｃ内に送風する運転態様を意味する。
【００８８】
上述したように、蒸発器２１における複数のチューブ２１ｃの間には、蓄冷材容器２１ｅが熱的に結合している為、この通常冷房運転に伴って、蓄冷材容器２１ｅ内の蓄冷材には、蒸発器２１における冷媒の蒸発による冷熱が蓄熱される。
【００８９】
尚、本実施形態における通常冷房運転は、車室内空調ユニット１０の冷凍サイクル２０の作動（即ち、圧縮機２２等の作動）を前提としており、シート空調ユニット４０は動作していないものとする。
【００９０】
一方、本実施形態における蓄冷冷房運転は、通常冷房運転によって蒸発器２１における蓄冷材容器２１ｅ内の蓄冷材に蓄熱された冷熱を用いて、室内送風機１７からの送風空気を冷却して車室Ｃ内に送風すると同時に、シート空調ユニット４０によるシート空調を行う運転態様を意味する。
【００９１】
本実施形態に係る蓄冷冷房運転時における車両用空調装置１の作動態様について、具体的に説明する。上述したように、この蓄冷冷房運転では、各蓄冷材容器２１ｅ内の蓄冷材に蓄熱された冷熱を利用する為、車室内空調ユニット１０では、冷凍サイクル２０内を冷媒が循環している必要はない。つまり、蓄冷冷房運転は、例えば、車両エンジンＥの停止等によって、冷凍サイクル２０における圧縮機２２が停止している場合であっても可能である。
【００９２】
具体的には、蓄冷冷房運転において、車室内空調ユニット１０では、室内送風機１７の作動が制御される。室内送風機１７は、図５に示す制御処理によって定められた送風量に従って、蒸発器２１に対して空気を送風する。こうして送風された送風空気は、蒸発器２１を通過する際に、各蓄冷材容器２１ｅ内の蓄冷材に蓄熱された冷熱によって冷却され、フェイス吹出口３１等を介して、冷風ＣＡとして車室Ｃ内に吹き出される。
【００９３】
この時、蓄冷冷房運転に伴って、シート空調ユニット４０によるシート空調が、図５に示す制御処理によって定められた作動態様で行われている。従って、蓄冷材の冷熱によって冷却された冷風ＣＡは、車室Ｃ内に向かって吹き出されると、シート空調ユニット４０の下側送風機４４、上側送風機４８の作動に伴って、シート５に向かって流れていく。
【００９４】
ここで、シート空調ユニット４０における下側通気口４２は、シート５の座面部６における上面側に配置されており、上側通気口４６は、シート５の背もたれ部７における前面側に配置されている。図１、図４に示すように、座面部６の上面及び背もたれ部７の前面は、シート５に着座した乗員の体幹部分に接触可能な部分である。
【００９５】
従って、この蓄冷冷房運転において、蓄冷材の冷熱によって冷却された冷風ＣＡは、シート空調ユニット４０における下側送風機４４及び上側送風機４８の作動によって、シート５に着座している乗員の体表近傍を流れて、座面部６及び背もたれ部７内に吸い込まれる。これにより、当該蓄冷冷房運転によれば、蓄冷材の冷熱によって冷却された冷風ＣＡを、シート５に着座している乗員に集中して流すことができるので、当該乗員の快適性を効率よく高めることができる。
【００９６】
尚、図４においては、フェイス吹出口３１を介して車室Ｃ内に吹き出される冷風ＣＡのみを図示しており、フット吹出口３２及びデフロスタドア３３から吹き出された冷風ＣＡの流れに関する図示は省略している。この時のフット吹出口３２、デフロスタドア３３を介して吹き出される冷風ＣＡは、車室Ｃ内に吹き出されると、図４における冷風ＣＡと同様に、シート空調ユニット４０における下側通気口４２及び上側通気口４６に向かって流れる。
【００９７】
続いて、本実施形態に係る車両用空調装置１の蓄冷冷房運転に関する制御処理の内容について、図５のフローチャートを参照しつつ説明する。この制御プログラムは、車両用空調装置１における通常冷房運転の開始に伴って、空調制御装置５０によって実行される。
【００９８】
尚、車両用空調装置１における通常冷房運転の開始は、例えば、操作パネル５６におけるエアコンスイッチやオートスイッチの操作信号に基づいて判定される。そして、図５に示すフローチャートの各制御ステップは、空調制御装置５０が有する各種の機能実現部を構成している。
【００９９】
図５に示すように、ステップＳ１においては、車両用空調装置１の運転態様を蓄冷冷房運転に切り替えるか否かが判断される。具体的には、通常冷房運転中に車室内空調ユニット１０における圧縮機２２の作動が停止したか否かによって、蓄冷冷房運転に切り替えるか否かが判断される。
【０１００】
圧縮機２２の作動が停止したと判断された場合には、蓄冷冷房運転を開始する為に、ステップＳ２に処理が移行される。圧縮機２２の作動が継続していると判断された場合は、通常冷房運転を継続する為に、蓄冷冷房運転に切り替えることなく、この制御処理を終了する。
【０１０１】
ここで、車室内空調ユニット１０において、圧縮機２２の作動は車両エンジンＥの作動に連動している為、アイドリングストップ等によって車両エンジンＥが停止した場合、通常冷房運転に伴う圧縮機２２の作動も停止する。この場合のステップＳ１においては、蓄冷冷房運転に切り替えると判断される。
【０１０２】
蓄冷冷房運転を実行する場合に移行するステップＳ２では、蓄冷冷房運転時における室内送風機１７の送風量が決定される。この場合の室内送風機１７の送風量は、車室内空調ユニット１０のみを作動させていた場合（例えば、通常冷房運転時）における室内送風機１７の送風量よりも下げて決定される。
【０１０３】
具体的には、ステップＳ２においては、空調制御装置５０のＲＯＭに記憶された制御マップと、通常冷房運転時における室内送風機１７の送風量に基づいて、蓄冷冷房運転時における室内送風機１７の送風量が決定される。
【０１０４】
ステップＳ２で参照される制御マップは、室内送風機１７の送風量が通常冷房運転時よりも蓄冷冷房運転時の方が小さいことと、通常冷房運転時と蓄冷冷房運転時において、シート５における乗員の着座位置での風速が同等であることを条件に生成されている。
【０１０５】
ここで、通常冷房運転時においては、車室内空調ユニット１０のみが作動して冷房運転を行う為、シート５における乗員の着座位置における風速は、室内送風機１７の送風量に対応する。一方、蓄冷冷房運転の場合、車室内空調ユニット１０及びシート空調ユニット４０が併用される。図１、図４に示すように、本実施形態における乗員の着座位置は、シート５における座面部６の上方で且つ、背もたれ部７の前方に相当する。
【０１０６】
この為、蓄冷冷房運転時における着座位置での風速は、室内送風機１７による着座位置への吹き出しだけでなく、下側送風機４４及び上側送風機４８による着座位置からの吸込みの影響を受ける。
【０１０７】
従って、ステップＳ２で参照される制御マップは、通常冷房運転時における室内送風機１７の送風量に対して、蓄冷冷房運転時における室内送風機１７の送風量と、蓄冷冷房運転時における下側送風機４４及び上側送風機４８の送風量とを対応付けて、上述した２つの条件を満たすように生成されている。
【０１０８】
ステップＳ２においては、通常冷房運転時における室内送風機１７の送風量と、制御マップを参照することにより、蓄冷冷房運転時における室内送風機１７の送風量が特定される。これによって決定された蓄冷冷房運転時における室内送風機１７の送風量は、乗員の着座位置における風速を通常冷房運転時と同等に維持可能であって、且つ、通常冷房運転時における室内送風機１７の送風量よりも小さい送風量となる。
【０１０９】
続くステップＳ３では、蓄冷冷房運転時におけるシート空調ユニット４０の消費電力量上限値が決定される。具体的には、消費電力量上限値は、通常冷房運転時における車室内空調ユニット１０の消費電力量と、蓄冷冷房運転時における車室内空調ユニット１０の消費電力量の差を示すように決定される。
【０１１０】
通常冷房運転時と蓄冷冷房運転時においては、車室内空調ユニット１０は、主にステップＳ２で決定された室内送風機１７の送風量の差の点で、その作動態様が異なっている。従って、この消費電力上限値は、通常冷房運転時と蓄冷冷房運転時における室内送風機１７の送風量の低減に伴う車室内空調ユニット１０の消費電力低減量に相当する。
【０１１１】
そして、ステップＳ４に移行すると、ステップＳ２、ステップＳ３で決定された運転条件（即ち、室内送風機１７の送風量、シート空調ユニット４０における消費電力量上限値等）に従って、蓄冷冷房運転が実行される。
【０１１２】
即ち、車室内空調ユニット１０の室内送風機１７及び、シート空調ユニット４０の下側送風機４４、上側送風機４８は、ステップＳ２で決定された送風量となるように、その作動を制御される。これにより、乗員の着座位置における風速が維持されることになる為、通常冷房時における乗員の快適性と同等に維持することができる。
【０１１３】
又、蓄冷冷房運転時においては、シート空調ユニット４０の作動は、シート空調ユニット４０の消費電力量がステップＳ３で決定された消費電力上限値以下となるように制御される。これにより、通常冷房運転時と同等以下の電力収支で、車室内空調ユニット１０とシート空調ユニット４０を併用する蓄冷冷房運転を行うことができる。
【０１１４】
尚、本実施形態に係る蓄冷冷房運転は、車両エンジンＥの始動に連動する圧縮機２２の始動によって終了し、通常冷房運転に切り替わる。従って、蒸発器２１の吹出温度が所定の基準吹出温度ＫＴ（例えば、１５℃）を上回ると、車両エンジンＥが再始動して、圧縮機２２が作動開始する為、蓄冷冷房運転は終了し、通常冷房運転に切り替わるように構成されている。
【０１１５】
次に、本実施形態に係る車両用空調装置１における蓄冷冷房運転と、圧縮機が停止した状態における他の空調運転とを比較する。尚、本実施形態に係る蓄冷冷房運転の場合における蒸発器２１の吹出温度は、図６のグラフ中で「Ｅｘ」として示している。
【０１１６】
比較例（Ａ）に係る車両用空調装置は、蓄熱機能のない蒸発器を含む冷凍サイクル２０を有する車室内空調ユニット１０により構成されているものとし、図６のグラフ中では、この比較例（Ａ）における蒸発器の吹出温度を「Ｅｘａ」として示す。
【０１１７】
そして、比較例（Ｂ）に係る蓄熱機能を有する蒸発器２１を含む冷凍サイクル２０を有する車室内空調ユニット１０を有しており、シート空調ユニット４０は有していない構成とする。又、図６のグラフ中では、この比較例（Ｂ）における蒸発器の吹出温度を「Ｅｘｂ」として示す。
【０１１８】
本実施形態に係る車両用空調装置１と、比較例（Ａ）に係る車両用空調装置と、比較例（Ｂ）に係る車両用空調装置とを比較する前提として、初期状態として、車両の車両エンジンＥが作動しており、冷凍サイクル２０の作動によって車室内を冷房する通常冷房運転が行われているものとする。そして、初期状態から所定時間ｔｃｓを経過した時点で、車両エンジンＥ及び圧縮機の作動が停止するものとする。
【０１１９】
圧縮機の作動停止後の空調動作について説明する。比較例（Ａ）の場合、圧縮機の作動停止に伴って、車室内空調ユニット１０における冷凍サイクル２０の作動も停止する為、車室内空調ユニット１０は送風運転を行う。この送風運転では、車室内空調ユニット１０における室内送風機１７による車室Ｃ内への送風のみが行われる。従って、図６のグラフに示すように、圧縮機の作動停止後は、時間が経過する程、蒸発器における吹出温度が上昇していき、時間ｔａを経過した時点で基準吹出温度ＫＴを超える。
【０１２０】
次に、比較例（Ｂ）の場合、圧縮機２２の作動停止に伴って、車室内空調ユニット１０による蓄冷送風運転が行われる。具体的には、蓄冷送風運転では、室内送風機１７を作動させることで、蒸発器２１に蓄熱されている冷熱を用いて、送風空気を冷却して車室Ｃ内に供給する。
【０１２１】
この場合、蒸発器２１に蓄熱された冷熱によって冷却される為、比較例（Ｂ）における吹出温度は、比較例（Ａ）よりも緩やかに上昇していく。即ち、時間ｔａの時点でも、車室Ｃ内に冷風ＣＡを供給することができる。その後、更に時間が経過して時間ｔｂになった時点で、比較例（Ｂ）における吹出温度は基準吹出温度ＫＴを超える。
【０１２２】
そして、上述したように、本実施形態に係る車両用空調装置１は、圧縮機２２の作動停止に伴って蓄冷冷房運転を行う。蓄冷冷房運転では、車室内空調ユニット１０及びシート空調ユニット４０を作動させることによって、蒸発器２１における蓄冷材容器２１ｅ内の蓄冷材に蓄熱された冷熱で冷却された送風空気を車室Ｃ内に供給する。
【０１２３】
図６のグラフに示すように、当該車両用空調装置１における蓄冷冷房運転によれば、所定時間ｔｃｓにおける圧縮機２２の作動停止から、時間ｔａ及び時間ｔｂの何れを経過した時点でも、蒸発器２１における吹出温度が基準吹出温度ＫＴよりも低い温度を示している。
【０１２４】
上述したように、この蓄冷冷房運転時における室内送風機１７の送風量は、車室内空調ユニット１０のみを作動させていた場合（例えば、通常冷房運転時や比較例（Ｂ）の蓄冷送風運転等）よりも小さく決定される。この室内送風機１７における送風量の低減によって、蒸発器２１を通過する送風空気の量を低減することができる為、時間ｔａ、時間ｔｂを超える長い間、蓄冷冷房運転時における吹出温度を、基準吹出温度ＫＴより低い温度に維持することができる。
【０１２５】
即ち、本実施形態に係る車両用空調装置１によれば、蓄冷冷房運転時において、蒸発器２１の蓄冷材容器２１ｅ内の冷熱をより有効に活用することができ、圧縮機の作動を停止している場合であっても、比較例（Ａ）や比較例（Ｂ）に比べて効率の良い車室内冷房を行うことができる。
【０１２６】
又、図６のグラフからわかるように、本実施形態に係る車両用空調装置１によれば、比較例（Ａ）、比較例（Ｂ）に比べて、吹出温度が基準吹出温度ＫＴを超えるまでに要する時間を長期化することができる。即ち、当該車両用空調装置１によれば、車両エンジンＥの再始動までの期間（即ち、アイドリングストップ期間）を長期化することができ、車室Ｃ内の快適性を所定以上に維持すると同時に、車両エンジンＥの作動停止による省燃費効果を高めることができる。
【０１２７】
この省燃費効果に関して、本実施形態に係る車両用空調装置１と、比較例（Ａ）と、比較例（Ｂ）のそれぞれについて試算した燃料消費率を用いて説明する。比較例（Ａ）の燃料消費率を１００（％）とした場合、蓄冷機能付きの蒸発器を用いた蓄冷送風運転を行う比較例（Ｂ）の燃料消費率は、８６（％）を示し、車室内空調ユニット１０及びシート空調ユニット４０を併用した蓄冷冷房運転を行う当該車両用空調装置１の燃料消費率は、８３（％）を示す。この試算結果からも、当該車両用空調装置１は、車両エンジンＥの作動停止による省燃費効果を高めていることがわかる。
【０１２８】
以上説明したように、本実施形態に係る車両用空調装置１は、図１等に示すように、車室Ｃの前方側に配置された車室内空調ユニット１０と、車室Ｃ内のシート５に配置されたシート空調ユニット４０と、車室内空調ユニット１０及びシート空調ユニット４０の作動を制御する空調制御装置５０とを有している。車室内空調ユニット１０は、蓄冷機能を有する蒸発器２１を含む冷凍サイクル２０と、室内送風機１７を有しており、送風空気を冷凍サイクル２０の作動によって冷却して車室Ｃ内に送風する態様と、送風空気を蒸発器２１における蓄冷材容器２１ｅ内の蓄冷材に蓄熱された冷熱によって冷却して車室Ｃ内に送風する態様とを実行することができる。
【０１２９】
又、車両用空調装置１におけるシート空調ユニット４０は、下側送風機４４、上側送風機４８を作動させることで、シート５に配置された下側通気口４２、上側通気口４６から車室Ｃ内の空気を吸い込むことができる。これにより、車両用空調装置１は、シート５に向かう空気の流れを車室Ｃ内に形成することができるので、シート５に着座した乗員の快適性を高めることができる。
【０１３０】
そして、当該車両用空調装置１は、車室内空調ユニット１０及びシート空調ユニット４０を併用することによって、圧縮機２２を作動させることなく、蓄冷冷房運転を行うことができる。
【０１３１】
図４に示すように、蓄冷冷房運転では、室内送風機１７からの送風空気は、蒸発器２１の蓄冷機能に蓄熱された冷熱によって冷却されて車室Ｃ内に送風され、シート空調ユニット４０の下側送風機４４、上側送風機４８の作動によって、シート５に向かって流れ、下側通気口４２、上側通気口４６から吸い込まれる。当該車両用空調装置１によれば、このような冷風ＣＡの流れを形成することができる為、車室Ｃ内における乗員の快適性を効率よく高めることができる。
【０１３２】
この蓄冷冷房運転に際して、当該車両用空調装置１は、図５に示す制御プログラムを実行して、車室内空調ユニット１０における室内送風機１７の送風量を通常冷房運転時よりも下げることで、車室内空調ユニット１０の空調性能を下げるように調整する。これにより、当該車両用空調装置１は、車室内空調ユニット１０及びシート空調ユニット４０を単純に同時運転する場合に比べて、車室Ｃ内における乗員の快適性と車両用空調装置１としてのエネルギー消費量とのバランスをとることができる。
【０１３３】
又、当該車両用空調装置１によれば、蒸発器２１における蓄冷材容器２１ｅ内の蓄冷材に蓄熱された冷熱を、より長期間にわたって利用することができる為、車両用空調装置１としての省エネルギーに貢献することができる。
【０１３４】
そして、当該車両用空調装置１における車室内空調ユニット１０は、本発明に係る冷却部として、蒸発器２１と圧縮機２２と凝縮器２３と膨張弁２５を含む冷凍サイクル２０を有している。図３に示すように、蒸発器２１は、蓄冷材を内部に収容した蓄冷材容器２１ｅを含んで構成されている。
【０１３５】
従って、当該車両用空調装置１によれば、車室内空調ユニット１０の作動を制御することによって、車室Ｃ内の冷房運転（即ち、通常冷房運転、蓄冷冷房運転）だけでなく、車室Ｃ内の暖房運転、除湿暖房運転等を行うことができ、車室Ｃ内における乗員の快適性を高めることができる。又、蒸発器２１の構成として、蓄冷材を収容した蓄冷材容器２１ｅを有している為、通常冷房運転時に確実に冷熱を蓄熱することができ、蓄冷冷房運転時には、室内送風機１７からの送風空気を確実に冷却することができる。
【０１３６】
当該車両用空調装置１において、車室内空調ユニット１０の圧縮機２２は、車両エンジンＥの作動によって駆動される為、車両エンジンＥの作動停止に伴って、冷凍サイクル２０の作動も停止する。蓄冷冷房運転に際して、車室Ｃの環境変化によって冷凍サイクル２０の再始動が必要になると、車両エンジンＥの再始動が必要となる。
【０１３７】
当該車両用空調装置１によれば、蒸発器２１における蓄冷材容器２１ｅ内の蓄冷材に蓄熱された冷熱を、より長期間にわたって利用することができる為、車両エンジンＥの再始動までの期間を長期化することができる。即ち、車両用空調装置１は、車両用空調装置１が搭載された車両におけるアイドルストップ期間を長期化することができ、当該車両の省燃費効果を向上させることができる。
【０１３８】
図１、図４に示すように、車両用空調装置１におけるシート空調ユニット４０は、シート５の座面部６上面側に複数の下側通気口４２を配置し、背もたれ部７前面側に複数の上側通気口４６を配置して構成されている。即ち、下側通気口４２、上側通気口４６は、シート５に着座する乗員の体感部分が接触可能な表面に配置されている。そして、蓄冷冷房運転では、車室内空調ユニット１０から送風された冷風ＣＡは、車室Ｃ内において、シート空調ユニット４０の作動によって下側通気口４２、上側通気口４６から吸い込まれる。
【０１３９】
従って、下側通気口４２、上側通気口４６をこのように配置することによって、蓄冷冷房運転時における冷風ＣＡを、シート５に座っている乗員近傍を介して、下側通気口４２や上側通気口４６へ導くことができ、シート５に着座した乗員の快適性を効率よく高めることができる。
【０１４０】
そして、ステップＳ２では、蓄冷冷房運転時における室内送風機１７の送風量が、通常冷房運転時等における室内送風機１７の送風量よりも下げるように決定される。これにより、当該車両用空調装置１によれば、蓄冷冷房運転時において、蓄熱機能を有する蒸発器２１を通過する送風空気の量を下げることができ、蒸発器２１に蓄熱された冷熱を、より長期間にわたって利用することができる。
【０１４１】
又、蓄冷冷房運転時における室内送風機１７の送風量は、通常冷房運転時の乗員の着座位置における風速と同等になるように決定される。この為、当該車両用空調装置１によれば、蓄冷冷房運転時においても、通常冷房運転の場合と略同等の快適性を維持することができる。
【０１４２】
又、ステップＳ３においては、蓄冷冷房運転時におけるシート空調ユニット４０の消費電力量上限値が、通常冷房運転時における車室内空調ユニット１０の消費電力量と、蓄冷冷房運転時における車室内空調ユニット１０の消費電力量の差となるように決定される。ステップＳ４で蓄冷冷房運転を実行する際に、シート空調ユニット４０の作動は、シート空調ユニット４０の消費電力量がステップＳ３で決定された消費電力上限値以下となるように制御される。
【０１４３】
これにより、車両用空調装置１によれば、当該車両用空調装置１の通常冷房運転時と同等以下の電力収支で、車室内空調ユニット１０とシート空調ユニット４０を併用する蓄冷冷房運転を行うことができ、電力上における省エネルギー化に貢献することができる。
できる。
【０１４４】
（他の実施形態）
以上、実施形態に基づき本発明を説明したが、本発明は上述した実施形態に何ら限定されるものではない。即ち、本発明の趣旨を逸脱しない範囲内で種々の改良変更が可能である。例えば、上述した各実施形態を適宜組み合わせても良い。又、上述した実施形態を、例えば、以下のように種々変形することも可能である。
【０１４５】
（１）上述した実施形態では、車両用空調装置１は、車両エンジンＥで駆動する車両に搭載されていたが、本発明に係る車両用空調装置が適用可能な車両は、この態様に限定されるものではない。本発明に係る車両用空調装置は、車両バッテリの電力を用いて、走行用モータにより駆動する電気自動車に適用することも可能であるし、車両エンジンＥ及び走行用モータを利用可能に構成されたハイブリッド車に適用しても良い。
【０１４６】
（２）又、上述した実施形態においては、車室内空調ユニット１０において、本発明における蓄熱部である蓄冷材容器２１ｅを冷却する為の構成として、冷凍サイクル２０を用いていたが、この態様に限定されるものではない。本発明における冷却部は、蓄熱部に冷熱を蓄熱させる為に蓄熱部を冷却可能な構成であればよく、種々の構成を採用することができる。例えば、本発明における冷却部として、ペルチェ素子等を用いることもできる。
【０１４７】
（３）そして、上述した実施形態においては、シート空調ユニット４０は、座面部６側に配置されている下側通風路４１〜下側送風機４４と、背もたれ部７側に配置されている上側通風路４５〜上側送風機４８とを有する構成であったが、この構成に限定されるものではない。例えば、シート空調ユニット４０を、座面部６側の構成のみとしても良いし、背もたれ部７側の構成のみとしてもよい。
【０１４８】
（４）又、上述した実施形態においては、シート空調ユニット４０における下側通風路４１の下側排気口４３は、シート５の座面部６上面側に配置され、上側通風路４５の上側排気口４７は、背もたれ部７の前面側に配置されていたが、この態様に限定されるものではない。本発明における通気口は、シートに配置されていればよく、シートの構成等の種々の条件に応じて適宜変更することができる。
【０１４９】
（５）又、上述した実施形態においては、ステップＳ２にて、空調制御装置５０のＲＯＭに記憶されている制御マップを用いて、蓄冷冷房運転時における室内送風機１７の送風量を、通常冷房運転時における室内送風機１７の送風量よりも下げるように決定していたが、この態様に限定されるものではない。蓄冷冷房運転時における室内送風機１７の送風量を通常冷房運転時よりも下げることができれば、その下げ幅や決定方法等は種々の態様を採用することができる。
【０１５０】
（６）更に、上述した実施形態では、ステップＳ３において、蓄冷冷房運転時におけるシート空調ユニット４０の消費電力上限値を、通常冷房運転時における車室内空調ユニット１０の消費電力量と、蓄冷冷房運転時における車室内空調ユニット１０の消費電力量の差となるように決定していたが、この態様に限定されるものではない。通常冷房運転時と同等以下の電力収支による蓄冷冷房運転を実現することが可能であれば、当該消費電力上限値の決定方法は、種々の方式を採用することができる。
【符号の説明】
【０１５１】
１      車両用空調装置
１０    車室内空調ユニット
１７    室内送風機
２０    冷凍サイクル
２１    蒸発器
２１ｅ  蓄冷材容器
４０    シート空調ユニット
４２    下側通気口
４４    下側送風機
５０    空調制御装置
【図１】
2018131094.tif 000003
【図２】
2018131094.tif 000004
【図３】
2018131094.tif 000005
【図４】
2018131094.tif 000006
【図５】
2018131094.tif 000007
【図６】
2018131094.tif 000008